(57)【要約】 【課題】  食品その他の小物商品を収容するための新規のネット袋の提供を図ったものである。【解決手段】  熱溶着可能とする材料で製したネット袋主体１に対して、当該ネット袋主体１の縦方向の長さと等しい長さを具えた熱溶着可能とする合成樹脂製シート材で形成した補強兼表示用シート２，３を、当該ネット袋主体１の表裏またその何れか一方に位置させ、また、当該補強兼表示用シート２，３は、その表面に当該ネット袋主体１内に収容する商品に関する各種表示の印刷を施し、当該ネット袋主体１の上縁側開口部は、ネット袋主体１と補強兼表示用シート２，３の三者を一括して溶着して閉塞し、更に、ネット袋主体１の下縁側開口部の閉塞を、ネット袋主体１内に対する所定商品の収容状態において、当該下端部分に対して一括した下端側閉塞部Ｂを形成したネット袋。【選択図】  図５
2008179392.tif 000002
【特許請求の範囲】
【請求項１】
熱溶着可能とする材料で製したネット袋主体(１)に対して、
当該ネット袋主体(１)の縦方向の長さと等しい長さを具えた熱溶着可能とする合成樹脂製シート材で形成した補強兼表示用シート(２，３)を、当該ネット袋主体(１)の表裏に位置させ、また、当該補強兼表示用シート(２，３)は、その表面に当該ネット袋主体(１)内に収容する商品に関する各種表示の印刷を施したものとし、
当該ネット袋主体(１)の上縁側開口部は、熱溶着部(Ａ)を形成することによりネット袋主体(１)と補強兼表示用シート(２，３)の三者を一括して溶着して閉塞し、
更に、ネット袋主体(１)の下縁側開口部の閉塞、及び、当該ネット袋主体(１)の下端縁に対する補強兼表示用シート(２，３)の下端縁の固定化を図るために、ネット袋主体(１)内に対する所定商品の収容状態において、当該下端部分に対して一括した下端側閉塞部(Ｂ)を形成したネット袋。
【請求項２】
ネット袋主体として、両側部に折込み用マチ部(1ａ，1ａ)を形成したネット袋主体(１)を用いた請求項１に記載のネット袋。
【請求項３】
ネット袋主体として、補強兼表示用シート(２，３)の横幅より幅広とするネット袋主体(11)を用いた請求項１に記載のネット袋。
【請求項４】
ネット袋主体として、補強兼表示用シート(２，３)の横幅と等しい横幅を具えたネット袋主体(12)を用いた請求項１に記載のネット袋。
【請求項５】
下端側閉塞部(Ｂ)の形成を、ネット袋主体(１)と補強兼表示用シート(２，３)の三者を一括して熱溶着に基づき閉塞するように構成した請求項1に記載のネット袋。
【請求項６】
下端側閉塞部(Ｂ)の形成を、ステイプラーにより閉塞するように構成した請求項1に記載のネット袋。
【請求項７】
下端側閉塞部(Ｂ)の形成を、紐により一括して束ねた結束形態に形成するように構成した請求項1に記載のネット袋。
【請求項８】
補強兼表示用シート(２，３)の上縁寄り部分を、ネット袋主体(１)に対して縦方向にやや幅広く熱溶着部(Ａ)を形成すると共に、当該幅広熱溶着部(Ａ)の所要箇所に、商品の引掛け的展示または携行用持ち手として機能させるための穿設穴(ａ)を設けて成る請求項１乃至請求項７の何れかに記載のネット袋。
【請求項９】
熱溶着可能とする材料で製したネット袋主体(１)に対して位置させるための補強兼表示用シートを、当該ネット袋主体(１)の表裏の何れか一方に位置させて成る請求項１乃至請求項８に記載のネット袋。
【発明の詳細な説明】
【技術分野】
【０００１】
本発明は、食品その他の小物商品を収容するためのネット袋に関する。
【背景技術】
【０００２】
従来、多数のモノフィラメント状の線条を交差して一体化した伸縮自在な網目を構成してなるネット袋がある（例えば、特許文献１参照。）。
然し乍、このようなネット袋の致命的な問題点は、内部に収容する商品に関する商品名表示、バーコード表示、原材料マーク表示、原産地表示等の各種表示を施す場合、当該袋は網状であるために、このような表示を直接印刷することが不可能とされる点にあった。
【０００３】
このような問題を解消したネット袋として、本発明と同一の考案者・出願人とする実用新案登録に係る「ネット袋」がある。  これは、「収容商品に関する各種表示の印刷を表面に施して成る熱溶着可能な合成樹脂製シート材製の補強兼表示用シートを、ネット袋主体の上縁中央部分に対して、部分的に溶着固定するように構成したネット袋」である（特許文献２参照。）。
【０００４】
【特許文献１】特許第２９６４３３１号
【特許文献２】実用新案登録第３１１４６６７号
【発明の開示】
【発明が解決しようとする課題】
【０００５】
上述した特許文献２に掲載された従来例の場合は、補強兼表示用シートをネット袋主体の上縁中央部分に対して、部分的に溶着固定するように構成したネット袋であったため、当該補強兼表示用シートの存在は、比較的小さな面積を占めるに過ぎず、従って、必要表示を行うには狭すぎる、と言うような問題が生じることとなった。
【０００６】
更に、上述した特許文献２に掲載された従来例の場合は、補強的な見地に於いても、ネット袋主体の上縁中央部分に対して補強兼表示用シートを溶着固定するに過ぎないものであったため、補強的効果は袋の開口部分及び持手形成用開孔部分に限定され、袋全体に対する補強目的を達成するものではなかった。  そのため、収容商品によってはネット袋の破裂と言うような事態発生が伴った。
【０００７】
本発明は、上述したような従来の問題点を解消した新規のネット袋の提供を図ったものである。
【課題を解決するための手段】
【０００８】
本発明は請求項１に記載のように、熱溶着可能とする材料で製したネット袋主体１に対して、当該ネット袋主体１の縦方向の長さと等しい長さを具えた熱溶着可能とする合成樹脂製シート材で形成した補強兼表示用シート２，３を、当該ネット袋主体１の表裏に位置させ、また、当該補強兼表示用シート２，３は、その表面に当該ネット袋主体１内に収容する商品に関する各種表示の印刷を施したものとし、当該ネット袋主体１の上縁側開口部は、熱溶着部Ａを形成することによりネット袋主体１と補強兼表示用シート２，３の三者を一括して溶着して閉塞し、更に、ネット袋主体１の下縁側開口部の閉塞、及び、当該ネット袋主体１の下端縁に対する補強兼表示用シート２，３の下端縁の固定化を図るために、ネット袋主体１内に対する所定商品の収容状態において、当該下端部分に対して一括した下端側閉塞部Ｂを形成するように構成したことを特徴とするネット袋に関する。
【０００９】
なお、上記したネット袋主体としては、請求項２に記載のように、両側部に折込み用マチ部1ａ，1ａを形成したネット袋主体１を用いて実施する場合、請求項３に記載のように、補強兼表示用シート２，３の横幅より幅広とするネット袋主体11を用いて実施する場合、更に、請求項４に記載のように、補強兼表示用シート２，３の横幅と等しい横幅を具えたネット袋主体12を用いるようにした実施する場合があり、本発明はこれらを実施の態様とするものである。
【００１０】
また、上記した「下端部分に対して一括した下端側閉塞部Ｂ」の形成は、請求項５に記載のように、ネット袋主体１と補強兼表示用シート２，３の三者を一括して熱溶着に基づき閉塞するように構成する場合、若しくは、請求項６に記載のように、ステー  プラー（商標：ホッチキス）により閉塞するように構成する場合、或いは、請求項７に記載のように紐で絞り込むようにした結束形態に形成するように構成する場合があり、本発明はこれらを実施の態様とするものである。
【００１１】
また、本発明は請求項８に記載のように、補強兼表示用シート２，３の上縁寄り部分を、ネット袋主体１に対してやや縦方向に幅広く熱溶着部Ａを形成すると共に、当該幅広熱溶着部Ａの所要箇所に、商品の引掛け的展示または携行用持ち手として機能させるための穿設穴ａを設けるように構成することを、実施の態様とするものである。
【００１２】
更に、請求項９に記載のように、熱溶着可能とする材料で製したネット袋主体(１)に対して位置させるための補強兼表示用シートを、当該ネット袋主体(１)の表裏の何れか一方に位置させるように構成して実施することもできる。
【発明の効果】
【００１３】
本発明に係るネット袋は、請求項１に記載のような構成、すなわち、熱溶着可能とする材料で製したネット袋主体１に対して、当該ネット袋主体１の縦方向の長さと等しい長さを具えた熱溶着可能とする合成樹脂製シート材で形成した補強兼表示用シート２，３を、当該ネット袋主体１の表裏に位置させ、また、当該補強兼表示用シート２，３は、その表面に当該ネット袋主体１内に収容する商品に関する各種表示の印刷を施したものとし、当該ネット袋主体１の上縁側開口部は、熱溶着部Ａを形成することによりネット袋主体１と補強兼表示用シート２，３の三者を一括して溶着して閉塞し、更に、ネット袋主体１の下縁側開口部の閉塞、及び、当該ネット袋主体１の下端縁に対する補強兼表示用シート２，３の下端縁の固定化を図るために、ネット袋主体１内に対する所定商品の収容状態において、当該下端部分に対して一括した下端側閉塞部Ｂを形成したから、当該補強兼表示用シート２，３の存在に基づき良好なる商品表示、並びに、ネット袋主体１に対する良好なる補強目的が達成される。
【００１４】
すなわち、ネット袋主体１の表裏両面に補強兼表示用シート２，３が存在するため、当該補強兼表示用シート２，３部分に、ネット袋主体１内に収容する商品に対する必要関連事項、例えば商品名表示、製造・販売業者名表示、バーコード表示、原材料マーク表示、原産地表示等の各種表示を印刷しておくことができる。  従って、その表示可能面積が、従来のネット袋に比較して著しく広くすることができる。
【００１５】
更に、補強兼表示用シート２，３はネット袋主体１に対して、その上下縁に対する閉塞部Ａ，Ｂの形成に基づき固定化されているため、当該ネット袋主体１が縦方向の伸縮性が阻止されてその強度が高められる。  従って、ネット袋主体１の収容商品が比較的重量性を伴うものであっても、破袋するような恐れを解消する。
また、当該補強兼表示用シート２，３はネット袋主体１の表裏両面だけ存在し、ネット袋主体１の側面部は網部分が見えるように構成してあるから、収容された商品は当該部分からの内容物確認目的が果される。
【００１６】
本発明に係るネット袋は、請求項２に記載のような構成、すなわち、ネット袋主体として、両側部に折込み用マチ部1ａ，1ａを形成したネット袋主体１を用いることにより、また、請求項３に記載のように、補強兼表示用シート２，３の横幅より幅広とするネット袋主体11を用いることにより、当該部分の開拡に基づき、ネット袋としての収容力が高められると共に、当該開拡部分から収容商品の確認が充分に果されることとなる。
【００１７】
また、請求項４に記載のように、ネット袋主体として、補強兼表示用シート２，３の横幅と等しい横幅を具えたネット袋主体12を用いるように構成することにより、扁平商品または少量商品に対する収容袋として最適とされ、また、この場合に於いても、ネット袋12の側縁部分は網状部分が露出されているため、当該部分からの収容商品の確認が可能化される。  なお、この場合、ネット袋主体12自体は図８に示すように商品を収容することにより伸びが生じ（伸びの良いネットの場合は２００％程度の伸びが生じる）、そのため、収容商品の確認も充分可能とするものである。
【００１８】
更に、本発明に係るネット袋は、請求項５に記載のように、下端側閉塞部Ｂの形成を、ネット袋主体１と補強兼表示用シート２，３の三者を一括して熱溶着に基づき閉塞するように構成することにより、その閉塞は自動機械に基づく閉塞手段を採ることができ、従って、その閉塞が極めて容易に達成されて大量生産に適応可能とされる。  また、熱溶着に依る閉塞であるため、一種の封印的閉塞目的が果される。
【００１９】
更に、請求項６に記載のように、  
下端側閉塞部Ｂの形成をステイプラーにより閉塞するように構成することにより、また、請求項７に記載のように、下端側閉塞部Ｂの形成を紐により一括して束ねた結束形態に形成するように構成することにより、当該閉塞は手動的に行うことが可能化され、従って、小規模販売時、及び、所要量の商品を注文のたびに袋詰めしながらの販売時における閉塞形態としての最適とする。
【００２０】
本発明に係るネット袋は、請求項８に記載のような構成、すなわち、補強兼表示用シート２，３の上縁寄り部分を、ネット袋主体１に対して縦方向にやや幅広く熱溶着部Ａを形成すると共に、当該幅広熱溶着部Ａの所要箇所に、商品の引掛け的展示または携行用持ち手として機能させるための穿設穴ａを設けるように構成することにより、当該穿設穴ａ部分は、上記の三者の熱溶着に基づく重合部分に穿設されるため、その極めて強靭なものとされ、その穴縁に亀裂が生じるような恐れがない。
【００２１】
本発明に係るネット袋は、請求項９に記載のような構成、すなわち、熱溶着可能とする材料で製したネット袋主体(１)に対して位置させるための補強兼表示用シートを、当該ネット袋主体(１)の表裏の何れか一方に位置させるように構成した場合、表面又は裏面全体がネット面とされることとなり、従って、内容物の確認用面積が著しく広められ、収容商品によってはその全体を見せることによる購買力の向上化を図ることができる。
【発明を実施するための最良の形態】
【００２２】
図に於いて、１はネット袋主体であって、多数のモノフィラメント状の合成樹脂製線条を交差して一体化した伸縮自在な網目を有する網材で形成されている。  そして、当該ネット袋種主体１は、両側部に折込み用マチ部1ａ，1ａを形成した状態で扁平化された形態を呈するものである。  そして、当該折込み用マチ部1ａ，1ａの深さであるが、これは商品収容量に応じて適宜設定するものとする。
【００２３】
なお、図６はネット袋主体として、補強兼表示用シート２，３の横幅より幅広とするネット袋主体11を用いた実施例を示したものである。    また、図７はネット袋主体として、補強兼表示用シート２，３の横幅と等しい横幅を具えたネット袋主体12を用いた場合の実施例を示したものである。  図７に示す実施例の場合、ネット袋主体12は商品の収容に基づき図８に示すような伸びが生じ（多い場合は２００％程度の伸びが生じる）、従って、図７に示す状態のままの扁平状態を保つものではない。
本発明は上記としたような形態で実施することもできる。
【００２４】
ところで、上記したネット袋主体は、素材自体の段階では筒状を呈するものであり、その後に下記するような、上縁側開口部に対する閉塞、並びに、商品収容後の下縁側開口部に対する閉塞部Ｂが形成される。  
【００２５】
２，３は熱溶着可能とする合成樹脂製シート材で形成した補強兼表示用シートであって、ネット袋主体１の縦方向の長さと等しい長さを具えたものであり、当該ネット袋主体１の表裏両面に取付けられるものである。  そして、その取付け形態であるが、補強兼表示用シート２，３の上縁寄り部分は、ネット袋主体１に対して縦方向にやや幅広く一括して熱溶着部Ａを形成して、ネット袋主体１と補強兼表示用シート２，３の三者を一括して溶着するように構成してある。
【００２６】
なお、上記した補強兼表示用シートであるが、これは図示のように表裏両面に取付ける以外、表面または裏面の何れか一方に取付けるように構成することもできる。  この場合、補強力及び表示力は表裏両面に設ける場合に比して半減されるが、片側面全体が網目状部分とされるため、収容商品の透視性・確認性という点では優れたものとされる。  本発明はこのような形態で実施する場合もある。
【００２７】
ａは上記した熱溶着部Ａの所要箇所に貫通させて設けた穿設穴であって、商品の引掛け的展示、または、携行用持ち手として機能させるためのものであり、その穿設形状は図示のものに限定されるものではない。
【００２８】
上記した状態においては、ネット袋主体１の下縁側開口部は開放状態を保っていると共に、補強兼表示用シート２，３の下端縁はフリーな状態となっている。  そして、本発明に係る「ネット袋」は、この状態が「ネット袋」自体の製品形態であり、ネット袋主体１の下縁側開口部の閉塞、及び、当該ネット袋主体１の下端縁に対する補強兼表示用シート２，３の下端縁の固定化は、ネット袋主体１内に対する所定商品の収容後において、当該部分を閉塞するわけであるが、その閉塞する手段としては、当該部分を熱溶着に基づき閉塞する手段、または、ステイプラー（商標：ホッチキス）により閉塞する手段、或いは、紐により一括して束ねた結束形態に閉塞する手段があるが、本発明における閉塞部Ｂは、このような手段の何れかに基づきその閉塞を成すものである。
【００２９】
そして、上記した下端側開口部の閉塞状態に於いては、補強兼表示用シート２，３の下端縁は、ネット袋主体１の下端縁に対して確固たる固定状態に保たれ、これにより、当該ネット袋主体１の縦方向の伸びは、当該補強兼表示用シート２，３の存在による伸縮性の防止、及び縦方向の補強目的が達成されるように構成してある。
【００３０】
また、前記した補強兼表示用シート２，３であるが、これの表面には、ネット袋主体１内に収容する商品に対する必要関連事項、例えば商品名表示、製造・販売業者名表示、バーコード表示、原材料マーク表示、原産地表示等の各種表示を予め印刷しておくものとする。  そして、当該補強兼表示用シート２，３に対するこのような表示は、表面側と裏面側とを同一表示とするような限定性は無く、表面側には商品の表面用としての表示を、また、裏面側には商品の裏面用としての表示を施すことを原則とするが、これは絶対的なものではなく、表裏同一表示を施しておく場合もある。
【００３１】
ところで、図面に示す実施例においては、ネット袋主体１の横幅を、補強兼表示用シート２，３の横幅より大きくしてあるのは、商品の収容量を多くするためであり、従って、当該各横幅を等しくするように構成しても良い。  すなわち、前述したように、当該補強兼表示用シート２，３はネット袋主体１の縦方向の伸縮を阻止して補強的効果を奏させるものであり、その横方向の伸縮に対しては全くフリーな状態を保っている。
【００３２】
本発明に係るネット袋は以上のような構成を有するものであって、図１乃至図４に示すような形態の包装用袋として当業者間で取扱われ、実際の商品販売に際しては、図５に示すようにネット袋主体１袋内に対する商品の収容及び下端側開口部に対する閉塞部Ｂを形成した状態で供されるものである。  なお、紐による閉塞の場合は、底部中央に絞り込まれた状態で閉塞される。
【００３３】
本考案に係るネット袋は、既存のこの種ネット袋と同様にして使用に供するものである。  そして、補強兼表示用シート２，３部分には、収容商品に対する説明等を施すことにより、購入者に対する商品の説明責任が果される。  同時に、当該補強兼表示用シート２，３の存在は、ネット袋主体１の縦方向に対する補強作用を奏し、メッシュ独特の腰の無さというようなことを解消することとなる。
【図面の簡単な説明】
【００３４】
【図１】本発明に係るネット袋の正面図である。
【図２】同上側面図である。
【図３】図１におけるＸ−Ｘ線拡大断面図である。
【図４】表面側補強兼表示用シート２を取り除いた状態を表した正面図である。
【図５】本発明に係るネット袋の使用状態を表した斜視図である。
【図６】本発明の他の実施例を表したものであって、図１におけるＸ−Ｘ線位置で切断した場合の拡大断面図である。
【図７】本発明のもう一つの他の実施例を表したものであって、図１におけるＸ−Ｘ線位置で切断した場合の拡大断面図である。
【図８】図７で示す実施例に対して商品を収容した状態を表した拡大断面図である。
【符号の説明】
【００３５】
Ａ  熱溶着部
ａ  穿設穴
Ｂ  下縁側開口部の閉塞部
１  ネット袋
11  ネット袋
12  ネット袋
1a  折込み用マチ部
1b  折込み用マチ部
２  補強兼表示用シート
３  補強兼表示用シート
【図１】
2008179392.tif 000003
【図２】
2008179392.tif 000004
【図３】
2008179392.tif 000005
【図４】
2008179392.tif 000006
【図５】
2008179392.tif 000007
【図６】
2008179392.tif 000008
【図７】
2008179392.tif 000009
【図８】
2008179392.tif 000010